(57)【要約】【課題】  センターピラーを車体の内側に変形させる側面衝突の際に起こり得るルーフサイドレールの回転を低減させる。【解決手段】  車体構造は、センターピラー２２がルーフサイドレール２０に取り付けられる領域に位置するサイドレール補強部材３４を含む。補強部材３４は、ルーフサイドレール２０に沿って前後方向に延びる第１のサイドレール補強部３４ａとルーフサイドレール２０の長手方向軸に対して内向きに延びる第２のサイドレール補強部３４ｂに分割することができる。第２のサイドレール補強部３４ｂは、センターピラー２２のすぐ後方に位置するスライドドアポケット構造３６の一部分の上に重なっている。【選択図】      図４
2005280693.tif 000002
【特許請求の範囲】
【請求項１】
略垂直方向に延びるセンターピラーと、
前記センターピラーに連結され、前後方向に延びる長手方向の軸を含み、その長手方向の軸の内側にスライドドアポケット構造が突出してスライドドアのための前部ローラ収容用凹部を形成する、ルーフサイドレールと、
前記ルーフサイドレールに連結されて前記ルーフサイドレールの長手方向の軸に沿って前記センターピラーの一方の側に延びる第１の部分と、前記スライドドアポケット構造の上に重なるように前記第１の部分から所定の角度で内側に延びる第２の部分とを含む、補強部材と、
を備える車体構造。
【請求項２】
前記センターピラーは、その最小前後幅を規定する最小幅部を有し、
前記最小幅部は、前記センターピラーの最小前後幅の大部分が前後方向において前記補強部材の第１の部分と重なり合うように位置している、
請求項１に記載の車体構造。
【請求項３】
前記補強部材の第１の部分は、部分的に前記センターピラーの最小前後幅の前方および後方に位置するように前後方向に延びている、
請求項１に記載の車体構造。
【請求項４】
前記補強部材の第１の部分は、前記センターピラーに対して前方に延びている、
請求項１に記載の車体構造。
【請求項５】
前記スライドドアポケット構造は、前記センターピラーの上端に対応する前後位置に配置された前側部分を有する、
請求項１に記載の車体構造。
【請求項６】
前記ルーフサイドレールは、前記センターピラーの前方に延びる前側サイドレール部分を含み、
前記前側サイドレール部分は、実質的に閉じた管状断面を有している、
請求項１に記載の車体構造。
【請求項７】
前記補強部材の第１の部分は、前記ルーフサイドレールの実質的に閉じた管状断面の内部に配置されている、
請求項６に記載の車体構造。
【請求項８】
前記ルーフサイドレールの前側サイドレール部分は、その実質的に閉じた管状断面を形成するように結合された内側および外側サイドレール部品を含んでいる、
請求項７に記載の車体構造。
【請求項９】
前記センターピラーは、内側および外側センターピラー部品を含み、
前記内側センターピラー部品の上端は、前記補強部材の内部側にあり、
前記外側センターピラー部品の上端は、前記補強部材の外部側にある、
請求項８に記載の車体構造。
【請求項１０】
前記内側および外側サイドレール部品は、長手方向に延びる縁部に沿って互いに固定され、
前記補強部材の第１の部分は、前記内側および外側サイドレール部品の長手方向に延びる縁部に固定されている、
請求項８に記載の車体構造。
【請求項１１】
前記内側および外側サイドレール部品は、長手方向に延びる縁部に沿って互いに固定され、
前記補強部材の第１の部分は、装着タブを含んでおり、
前記装着タブは、前記内側および外側サイドレール部品の長手方向に延びる縁部の少なくとも１つの対の間に、固定されている、
請求項１０に記載の車体構造。
【請求項１２】
前記センターピラーは、互いに連結された内側および外側センターピラー部品を含む、
請求項１に記載の車体構造。
【請求項１３】
前記内側センターピラー部品の上端は、前記補強部材の内部側にあり、
前記外側センターピラー部品の上端は、前記補強部材の外部側にある、
請求項１２に記載の車体構造。
【請求項１４】
前記スライドドアポケット構造は、
基底部と、
外部に面した凹状の表面を形成するように前記基底部から前記車体構造に対して上方に延びるアーチ状壁部と、
を含む、
請求項１に記載の車体構造。
【請求項１５】
前記アーチ状壁部の前方端は、前記センターピラーの近くの第１の前後位置に位置し、
前記アーチ状壁部の後方端は、前記第１の前後位置から長手方向に離間された第２の前後位置に位置している、
請求項１４に記載の車体構造。
【請求項１６】
前記アーチ状壁部の前方端の第１の前後位置は、センターピラー位置の前後中心点に隣接している、
請求項１５に記載の車体構造。
【請求項１７】
前記アーチ状壁部の前記基底部から垂直に離間されるように前記アーチ状壁部の上端に配置された上部板部、
をさらに備える請求項１４に記載の車体構造。
【請求項１８】
前記補強部材の第１の部分は、少なくとも一対の長手方向に延びる壁を含み、
前記一対の壁は、Ｌ字形の横断面を有する、
請求項１に記載の車体構造。
【請求項１９】
前記補強部材の第２の部分は、少なくとも一対の長手方向に延びる壁を含み、
前記一対の壁は、Ｌ字形の横断面を有する、
請求項１に記載の車体構造。
【請求項２０】
前記スライドドアポケット構造は、
基底部と、
凹状の外部に面した表面を形成するように前記基底部から前記車体構造に対して上方に延びるアーチ状壁部と、
を含み、
前記補強部材の第２の部分は、前記スライドドアポケット構造のアーチ状壁部の少なくとも一部分の上に重なっている、
請求項１９に記載の車体構造。
【請求項２１】
前記補強部材の第２の部分は、さらに、前記スライドドアポケット構造の基底部の少なくとも一部分の上に重なっている、
請求項２０に記載の車体構造。
【請求項２２】
略垂直方向に延びるセンターピラーと、
前記センターピラーに連結され、前後方向に延びる長手方向の軸を含み、その長手方向の軸の内側にスライドドアポケット構造が突出してスライドドアのための前部ローラ収容用凹部を形成する、ルーフサイドレールと、
前記ルーフサイドレールを補強し、前記センターピラーに内向きの力が加わった場合に前記ルーフサイドレールの長手方向の軸を中心とした前記ルーフサイドレールの回転を抑制する補強手段と、
を備える車体構造。
【発明の詳細な説明】
【技術分野】
【０００１】
本発明は、概して車体構造に関する。より詳しくは、本発明は、スライドドアが装備された車両の車体構造に関する。
【背景技術】
【０００２】
スライドドアを備えた車両について、様々な構成が知られている。一般に、スライドドアは、ルーフサイドフレームに設置された上部案内レールとサイドシルに装着された下部案内レールとに沿って摺動する摺動体（またはローラ）を有する。スライドドアの前方端には、通常、センターピラーが設置される。このセンターピラーによって、ルーフサイドフレームは、車体構造のサイドシルに接続される。
【０００３】
車体構造の側部は、万一の側面衝突の際に乗員を保護するために、過度の変形を抑えるように構成される。すなわち、車体構造の側部は、乗員が保護されるように十分な剛性を備えた構成とされる。
【０００４】
例えば、特許文献１にはスライドドアを有する車体構造が開示されており、ルーフサイドフレームが補強されている。この特許文献１に開示された車体構造において用いられている補強部材は、ルーフサイドフレームの軸に沿って配置されている。
【特許文献１】米国特許公報第２００３／００８５５９３号
【発明の開示】
【発明が解決しようとする課題】
【０００５】
上記のことを考慮すると、車体構造の改良が求められていることは、本開示から当業者に明らかであろう。本発明は、当該技術におけるこのニーズおよび本開示から当業者に明らかとなるであろうその他のニーズに関する。
【０００６】
側面衝突の際には、センターピラーが車体の内側に向かって変形し、ルーフサイドレールに力が作用してルーフサイドレールが回転することがある、ということがわかってきている。すなわち、側面衝突が起こると、多くの場合、ルーフサイドフレームを車体構造の前後軸を中心に回転させ得る内向きの力がセンターピラーに加わる。上述の特許文献１においては、補強部材が、ルーフサイドフレームの軸に沿って配置されている。このため、この補強部材は、ルーフサイドフレームの回転を有効に抑制することができない。
【０００７】
センターピラーにかかる荷重をサイドのレール全体に沿って可能な限り分散させることが望ましい、ということがわかっている。センターピラーにかかる荷重をサイドのレールに沿って分散させれば、局所変形を抑制することができる。このようにすれば、センターピラーへの衝撃力に起因するサイドレールへの荷重は、回転荷重ではなく、主として並進荷重として伝達されるので、車両側部の保全性を改善することができる。
【０００８】
本発明の目的の１つは、センターピラーを車体の内側に変形させる側面衝突の際に起こり得るルーフサイドレールの回転を低減させる車体構造を提供することである。
【課題を解決するための手段】
【０００９】
本目的を達成するために、センターピラーと、ルーフサイドレールと、補強部材とを含む車体構造が提供される。センターピラーは、車体構造の略垂直方向に延びる。ルーフサイドレールは、センターピラーに固定連結される。ルーフサイドレールは、車体構造の前後方向に延びる長手方向の軸を含み、そのスライドドアポケット構造が、ルーフサイドレールの長手方向の軸の内側に突出してスライドドアのための前部ローラ収容用凹部を形成している。補強部材は、ルーフサイドレールに連結される。補強部材は、ルーフサイドレールの長手方向の軸に沿ってセンターピラーの一方の側に延びる第１の部分と、スライドドアポケット構造の上に重なるように第１の部分から所定の角度で内側に延びる第２の部分とを有する。
【００１０】
本発明の上記ならびにその他の目的、特徴、局面および利点は、添付の図面とともに本発明の好適な実施形態を開示する以下の詳細な説明から当業者に明らかとなるであろう。
【発明を実施するための最良の形態】
【００１１】
本発明の選択された実施形態を、図面を参照して説明する。本発明の実施形態の以下の説明が、例示のためにのみ提供されるものであって、特許請求の範囲（各請求項）およびその均等物によって定義される本発明を限定するためのものではないことは、本開示から当業者に明らかであろう。
【００１２】
まず、図１を参照すると、本発明の一実施形態による車体構造１２を備えた車両１０が図示されている。車両１０は、本発明による車体構造１２に装着された一対のスライドドア１４（一方のみを図示）をさらに含む。スライドドア１４は、３つの上部ローラおよび３つの下部ローラを介して車体構造１２に摺動可能に装着されている。スライドドア１４の構成およびスライドドア１４の取り付け配置については、概ね従来通りであり、ここでは詳細な説明や図示を省略する。スライドドア１４の正確な構成およびそれらのローラ構造が本発明にとっては重要でないことは、本開示から当業者に明らかであろう。また、スライドドア１４は、互いに鏡像であるが、それ以外についてはそれぞれが同じように車体構造１２に支持される。このことも、本開示から当業者に明らかであろう。したがって、ここでは、車体構造１２の左側だけを説明および図示する。
【００１３】
車体構造１２は、様々な構造支持部材と、車両の車室を形成する車体パネルとを含む。これらの部品はすべて、従来の自動車製造技術を用いて互いに固定連結され、剛体を形成する。簡潔化のために、本発明を理解するのに必要な車体の構造のみについて、ここで説明および図示する。
【００１４】
図３に示すように、本発明の車体構造１２は、基本的に、一対のルーフサイドレール２０と、一対のセンターピラー２２と、複数のクロスレール２４ａ，２４ｂ，２４ｃとを含む。車体構造１２のこれらの各部分は、従来の自動車製造技術を用いて互いに接合（例えば、溶接または接着）された金属薄板などの剛性材料から構成されていることが好ましい。基本的に、車体構造１２は、以下に説明するように、ルーフサイドレール２０を補強することによって、センターピラー２２の一方を車体の内側に変形させる側面衝突の際に起こり得るルーフサイドレール２０の回転を低減させるように、構成および配置される。
【００１５】
図４に示すように、ルーフサイドレール２０は、いくつかの部品からなる。部品数および部品の接合箇所の位置がここで図示する実施形態に限定されないことは、本開示から当業者に明らかであろう。すなわち、ルーフサイドレール２０の部品数および接合箇所の位置は、本発明の範囲から逸脱することなく変更することができる。基本的に、ルーフサイドレール２０は、前側サイドレール部分３０と、後側サイドレール部分３２と、サイドレール補強部材３４とを有する。後側サイドレール部分３２は、以下により詳細に述べるように、それと一体形成されたスライドドアポケット構造３６を有する。ルーフサイドレール２０は、車体構造１２の前後方向に延びる中心長手方向軸Ａを有する。図示した実施形態において、中心長手方向軸Ａは、ルーフサイドレール２０の輪郭に従う湾曲した軸である。
【００１６】
センターピラー２２は、スライドドアポケット構造３６がセンターピラー２２の中心垂直軸Ｂの後方に配置されるように、前側サイドレール部分３０と後側サイドレール部分３２の交点でルーフサイドレール２０に取り付けられる。後述するように、センターピラー２２の一部は、ルーフサイドレール２０の一部も形成することが好ましい。また、クロスレール２４ｃの中心とセンターピラー２２の中心垂直軸Ｂとの位置が実質的に合うように、クロスレール２４ｃがルーフサイドレール２０に接続されることが好ましい。
【００１７】
前側サイドレール部分３０は、内側サイドレール部品３０ａと、外側サイドレール部品３０ｂと、を含むことが好ましい。内側および外側サイドレール部品３０ａ，３０ｂは、それらの長手方向に延びる縁部に沿って固定され、ルーフサイドレール２０の前側サイドレール部分３０の実質的に閉じた管状断面を形成する。前側サイドレール部分３０は、基本的に、ルーフサイドレール２０の前面ガラスのための側部支持部、および、車体構造１２の前部サイドドア開口部のための上部支持部、を形成する部分に相当する。内側サイドレール部品３０ａおよび外側サイドレール部品３０ｂは、互いに接合（例えば溶接）された金属薄板部品であることが好ましい。内側サイドレール部品３０ａの後方端は、後側サイドレール部分３２およびセンターピラー２２、に接合（例えば溶接）される。外側サイドレール部品３０ｂは、センターピラー２２に接合された後方端を有する。
【００１８】
図９〜図１１に示すように、ルーフサイドレール２０は、車両の外部表面を形成する外部金属薄板層３８を有する。外部金属薄板層３８を含む車両１０の外部表面については、本発明にとって重要ではないため、ここでは説明や図示を省略する。また、別個の外部層が必須なわけではなく、ここで述べる車両１０の部品を車両１０の外部層を形成するように構成し得ることは、本開示から当業者に明らかであろう。
【００１９】
図１０および図１１に示すように、サイドレール補強部材３４は、部分的に、内側サイドレール部品３０ａと外側サイドレール部品３０ｂとの間に位置決めされる。サイドレール補強部材３４は、後述するように、内側および外側サイドレール部品３０ａ，３０ｂの長手方向の縁部の対の少なくとも１つに固定されることが好ましい。図示した実施形態においては、サイドレール補強部材３４の断面の輪郭と外側サイドレール部品３０ｂの断面の輪郭とは概ね似ており、サイドレール補強部材３４は、前側サイドレール部分３０とともに、車体構造１２の前後方向に延びる管状部分を形成する。
【００２０】
図３に示すように、後側サイドレール部分３２は、スライドドア１４のための上部支持部を形成する。このため、後側サイドレール部分３２は、車体構造１２の車外方向に面した、実質的に開いた断面を有する。後側サイドレール部分３２の前方端は、図１２に示すように、前側サイドレール部分３０の内側サイドレール部品３０ａの後方端に固定連結（例えば溶接）されることが好ましい。また、後側サイドレール部分３２の後方端は、さらなるレール部分（図示せず）に、しっかりと固定（例えば溶接）されることが好ましい。
【００２１】
図４に示すように、後側サイドレール部分３２は、基本的に、主支持部品３２ａと、ローラレール３２ｂと、ポケット装飾部材３２ｃと、上部板部材３２ｄとを含む。言うまでもないが、後側サイドレール部分３２は、その外観を仕上げるための他の装飾部品（図示せず）および外側金属薄板部分（図示せず）も含む。図示した実施形態において、主支持部品３２ａは、従来の自動車製造技術を用いて金属薄板で形成された成形構造部品である。
【００２２】
スライドドアポケット構造３６は、主支持部品３２ａ内に一体型ユニット部材として組み込まれている。スライドドアポケット構造３６は、後側サイドレール部分３２の主支持部品３２ａの自由端から後方に離間されていることが好ましい。ポケット装飾部材３２ｃは、スライドドアポケット構造３６の外部に面した表面の上に実質的に重なるように、従来の固着構造を用いて主支持部品３２ａに取り付けられる。ローラレール３２ｂは、ポケット装飾部材３２ｃが設置された後に、主支持部品３２ａの外部表面およびスライドドアポケット構造３６の一部分の上に重なるように装着される。上部板部材３２ｄは、金属薄板などの剛性材料からなるものであることが好ましい。上部板部材３２ｄは、スライドドアポケット構造３６の上に重なるように、主支持部品３２ａの上縁にしっかりと取り付けられる。これにより、上部板部材３２ｄは、スライドドアポケット構造３６の上縁に剛性を付加する。
【００２３】
図８および図１２〜図１６から最もよくわかるように、スライドドアポケット構造３６は、基本的に、基底部３６ａと、スライドドア１４のローラ構造の前部ローラのためのローラポケットを形成するアーチ状壁部３６ｂと、を有する。アーチ状壁部３６ｂは、基底部３６ａから上方に実質的に垂直方向に延びていることが好ましい。アーチ状壁部３６ｂは、外部に面した表面が車体構造１２の車外方向に面するように、凹状になっている。アーチ状壁部３６ｂの凹状の外部表面は、ルーフサイドレール２０の主な長手方向軸Ａよりも内側に位置する。スライドドアポケット構造３６の前方端およびサイドレール補強部材３４の後方端は、図１５および図１６から最もよくわかるように、互いに重なり合って固定される。すなわち、サイドレール補強部材３４とスライドドアポケット構造３６とが重なり合う領域は、センターピラー２２の前にあるサイドレール２０の部分の内縁よりも車内側にある。なお、サイドレール補強部材３４とスライドドアポケット構造３６とが重なり合う領域は、少なくとも２つの略垂直な平面内にあることが好ましい。また、サイドレール補強部材３４とスライドドアポケット構造３６とが重なり合う領域は、少なくとも、変形に抗する三次元断面を有していることが好ましい。
【００２４】
図４〜図７に示すように、センターピラー２２は、互いに固定連結（例えば溶接）されて中空の内部を有する一体化されたユニットを形成する内側センターピラー部品２２ａおよび外側センターピラー部品２２ｂを含んでいることが好ましい。内側および外側センターピラー部品２２ａ，２２ｂは、従来の自動車製造技術を用いて構成された金属薄板などの剛性材料からなることが好ましい。
【００２５】
センターピラー２２は、最小幅部Ｃを有する。最小幅部Ｃは、センターピラー２２の最小の前後幅の部分であり、実質的に前後方向に位置し、前側サイドレール部分３０と後側サイドレール部分３２との接続部の近くにある。言い換えれば、センターピラー２２の最小幅部Ｃは、その大部分が、車体構造１２の前後方向において、サイドレール補強部材３４と重なり合うように位置している。最小幅部Ｃの前縁は、内側サイドレール部品３０ａと主支持部品３２ａとの間に形成された接合箇所に対して、実質的に位置合わせされていることが好ましい。サイドレール補強部材３４は、少なくとも部分的にセンターピラー２２の最小前後幅部の前方および部分的に後方に位置するように、センターピラー２２の上方の前後位置に延びる。
【００２６】
図７および図１３から最もよくわかるように、内側センターピラー部品２２ａは、車体構造１２の前後方向において外向きに広がった上端４０を有する。内側センターピラー部品２２ａの上端４０は、前側サイドレール部分３０と主支持部品３２ａとの両方に連結される。センターピラー２２の最小幅部Ｃを二等分するセンターピラー２２の中心垂直軸Ｂは、スライドドアポケット構造３６の前縁に対して、実質的に位置合わせされることが好ましい。
【００２７】
図５および図１７から最もよくわかるように、外側センターピラー部品２２ｂは、前側サイドレール部分３０の一部を形成する上端４２を有する。すなわち、外側センターピラー部品２２ｂの上端部４２は、センターピラー２２から前方に延び、外側サイドレール部品３０ｂに実質的に対応する断面の輪郭を有する。上端部４２は、図１７から最もよくわかるように、サイドレール補強部材３４の一部分の上に重なっている。
【００２８】
次に、図１８〜図２１を参照する。サイドレール補強部材３４は、従来の自動車製造技術を用いて構成された成形金属薄板部材などの剛性部材であることが好ましい。サイドレール補強部材３４は、一体型のユニット部材であり、第１のサイドレール補強部３４ａと第２のサイドレール補強部３４ｂ（図１８〜図２１において影付き領域で示す）とに、有効に分割することができる。基本的に、第１のサイドレール補強部３４ａは、サイドレール補強部材３４の実質的に車両の長手方向に延びる部分によって形成され、第２のサイドレール補強部３４ｂは、サイドレール補強部材３４の前側サイドレール部分３０に対して内側に突出した部分である。
【００２９】
図１０および図１１に示すように、サイドレール補強部３４ａは、実質的に逆Ｌ字形または逆Ｖ字形の断面輪郭を形成する第１の壁部５０および第２の壁部５２を含むことが好ましい。第２の壁部５２の自由端は、内側サイドレール部品３０ａおよび外側サイドレール部品３０ｂの上部の長手方向の縁部の間に互いにしっかりと接続されるように挟まれた装着タブ５４を有することが好ましい。第１の壁部５０も、少なくとも内側サイドレール部品３０ａに接合された装着部分５６を有していることが好ましい。サイドレール補強部３４ａの第１および第２の壁部５０，５２の内部に面した表面は、サイドレール補強部材３４がルーフサイドレール２０の長手方向軸に対して凹状となるように配置されることが好ましい。
【００３０】
図８に示すように、第１のサイドレール補強部３４ａは、その一部分がセンターピラー２２の最小幅部Ｃの前側および後側に位置するように、ルーフサイドレール２０の長手方向軸に沿って車体構造１２の前後方向に延びていることが好ましい。第２のサイドレール補強部３４ｂは、第１のサイドレール補強部３４ａの後端に位置し、且つ、ルーフサイドレール２０に対して内側に突出していることが好ましい。
【００３１】
第２のサイドレール補強部３４ｂも、第１の壁部６０および第２の壁部６２によって形成される断面輪郭であって少なくとも実質的に逆Ｌ字形または逆Ｖ字形の断面輪郭を有していることが好ましい。また、第２のサイドレール補強部３４ｂは、第２の壁部６２に対向する第１の壁部６０の底側から外向きに延びるさらなる装着タブ６４を有していることが好ましい。これにより、第２のサイドレール補強部３４ｂの全体的な断面輪郭は、実質的にＺ字形となる。基本的に、第１および第２のサイドレール補強部３４ａ，３４ｂの第１の壁部５０，６０は、連続した側壁構造を形成し、第１および第２のサイドレール補強部３４ａ，３４ｂの第２の壁部５２，６２は、実質的に垂直に配置された第２の連続した側壁構造を形成する。第１の壁部６０は、スライドドアポケット構造３６のアーチ状壁部３６ｂの上に重なるように配置され、装着タブ６４は、スライドドアポケット構造３６の基底部３６ａの上に重なるように配置されていることが好ましい。
【００３２】
これにより、補強部材３４は、第１のサイドレール補強部３４ａによって長手方向の補強を提供しつつ、スライドドアポケット構造３６の基底部３６ａおよびアーチ状壁部３６ｂの上に重なる第２のサイドレール補強部３４ｂによって横方向の補強を提供することになる。第２のサイドレール補強部３４ｂは、側面衝突の際などにセンターピラー２２に内向きの力が加わった場合に、サイドレール補強部材３４がルーフサイドレール２０の長手方向軸を中心とした回転を最小化するように、実質的にセンターピラー２２の中心領域に位置することが好ましい。これにより、ルーフサイドレール２０において、より剛性のある構造が得られる。
【００３３】
本明細書において使用される次の方向用語「前方、後方、上方、下方、垂直、水平、下、横」およびその他の類似した方向用語は、本発明が適用された車両における方向をいう。したがって、本発明を説明するために用いられるこれらの用語は、本発明が適用された車両を基準として解釈される。
【００３４】
また、請求項において「手段＋機能」として表現される用語は、本発明の当該部分の機能を実施するために用いることができるすべての構造を含む。本明細書において使用される「実質的に」、「およそ」および「概略」などの程度を表す用語は、最終的な結果が著しく変わらないように、修飾された用語の妥当な大きさの偏差を意味している。例えば、これらの用語は、修飾する語の意味を無効にしない偏差であるかぎり、修飾された用語の少なくとも±５％の偏差を含むものと解釈することができる。
【００３５】
本発明を説明するために、選択された実施形態のみが記載されているが、特許請求の範囲の各請求項において定義されるような本発明の範囲から逸脱することなく種々の変更および修正が可能であることは、本開示から当業者に明らかであろう。さらに、本発明による実施形態の上記の説明は、例示のためにのみ提供されるものであり、特許請求の範囲の各請求項およびその均等物により定義される本発明を限定するためのものではない。したがって、本発明の範囲は開示された実施形態に限定されるものではない。
【図面の簡単な説明】
【００３６】
【図１】本発明の一実施形態に係る車体構造を有する車両の側面図。
【図２】側部スライドドアが開放位置に動かされた車両の側面図。
【図３】本発明に係る車体構造の部分斜視図。
【図４】本発明に係る車体構造の分解斜視図。
【図５】理解を容易とするために外部金属薄板層および外側サイドレール部品を取り除いた状態の、車体構造の左側の主要部品の側面図。
【図６】図５から更に外部部分を取り除いて補強部材を示した、図５と同様の車体構造の左側の側面図。
【図７】理解を容易とするために外部層および補強部材を取り除いた状態の、図５および図６と同様の車体構造の左側の側面。
【図８】本発明に係る車体構造の左側の上部部分の拡大部分斜視図。
【図９】図３の切断線９−９で切ったときの、左側ルーフサイドレールの簡略化された断面図。
【図１０】図３の切断線１０−１０で切ったときの、左側ルーフサイドレールの簡略化された断面図。
【図１１】図３の切断線１１−１１に切ったときの、左側ルーフサイドレールの簡略化された断面図。
【図１２】本発明に係る左側ルーフサイドレールの、前側サイドレール部分およびスライドドアポケット構造を含む後側サイドレール部分、の部分斜視図。
【図１３】本発明に係る内側センターピラー部品が連結された左側ルーフサイドレールの部分斜視図。
【図１４】本発明に係る内側センターピラー部品およびサイドレール補強部材が上に設置された左側ルーフサイドレールの部分斜視図。
【図１５】サイドレール補強部材と後側サイドレール部分のスライドドアポケット構造との間の接続を示す部分上面図。
【図１６】本発明に係る補強部材と後側サイドレール部分のスライドドアポケット構造との間の接続を示す部分側面斜視図。
【図１７】本発明に係る互いに連結された前側サイドレール部分の外側サイドレール部品、外側センターピラー部品およびサイドレール補強部材の斜視図。
【図１８】本発明に係るサイドレール補強部材の斜視図。
【図１９】本発明に係るサイドレール補強部材の別の斜視図。
【図２０】本発明に係るサイドレール補強部材の上面図。
【図２１】本発明に係るサイドレール補強部材の側面図。
【符号の説明】
【００３７】
２０    ルーフサイドレール
２２    センターピラー
２２ａ  内側センターピラー部品
２２ｂ  外側センターピラー部品
３０    前側サイドレール部分
３０ａ  内側サイドレール部品
３０ｂ  外側サイドレール部品
３２ｄ  上部板部材（上部板部）
３４    サイドレール補強部材（補強部材）
３４ａ  第１のサイドレール補強部（補強部材の第１の部分）
３４ｂ  第２のサイドレール補強部（補強部材の第２の部分）
３６    スライドドアポケット構造
３６ａ  基底部
３６ｂ  アーチ状壁部
５０    第１の壁部（壁）
５２    第２の壁部（壁）
５４    装着タブ
６０    第１の壁部（壁）
６２    第２の壁部（壁）
Ａ    ルーフサイドレールの中心長手方向軸（ルーフサイドレールの長手方向の軸）
Ｃ    センターピラーの最小幅部
【図１】
2005280693.tif 000003
【図２】
2005280693.tif 000004
【図３】
2005280693.tif 000005
【図４】
2005280693.tif 000006
【図５】
2005280693.tif 000007
【図６】
2005280693.tif 000008
【図７】
2005280693.tif 000009
【図８】
2005280693.tif 000010
【図９】
2005280693.tif 000011
【図１０】
2005280693.tif 000012
【図１１】
2005280693.tif 000013
【図１２】
2005280693.tif 000014
【図１３】
2005280693.tif 000015
【図１４】
2005280693.tif 000016
【図１５】
2005280693.tif 000017
【図１６】
2005280693.tif 000018
【図１７】
2005280693.tif 000019
【図１８】
2005280693.tif 000020
【図１９】
2005280693.tif 000021
【図２０】
2005280693.tif 000022
【図２１】
2005280693.tif 000023